(57)【要約】【課題】複数のフラット型ＬＥＤユニットを灯体の前面に着脱可能に配設することができ、故障時の修理を容易にし、かつ演出効果を高めること。【解決手段】本発明の照明装置１は、ＬＥＤを用いた光源と、この光源を点灯する点灯回路とを有し、前記光源からの光の色温度が予め設定された複数のフラット型ランプユニット３と；複数のフラット型ランプユニット３が前面２Ａに着脱自在に配設された灯体２と；を有する。【選択図】図１
2012204174.tif 000002
【特許請求の範囲】
【請求項１】
発光素子を用いた光源と、この光源を点灯する点灯回路とを有し、前記光源からの光の色温度が予め設定された複数のフラット型ランプユニットと；
前記複数のフラット型ランプユニットが前面に着脱自在に配設された灯体と；
を具備したことを特徴とする照明装置。
【請求項２】
前記フラット型ランプユニットとして前記光源からの光の色温度の設定が異なる少なくとも２種類のものを有し、この少なくとも２種類のフラット型ランプユニットを複数組み合わせて前記灯体の前面に配設したことを特徴とする請求項１に記載の照明装置。
【請求項３】
前記フラット型ランプユニットは、背面側に、取り付け方向に突出する口金部と電極部とを有し、
前記灯体は、前面の各フラット型ランプユニットが配設される部分に、前記フラット型ランプユニットの口金部を嵌入して固定する嵌合穴と、前記電極部を嵌入して該電極部と電気的に接続するための導電部を有する電極受け溝とを有することを特徴とする請求項１又は請求項２に記載の照明装置。
【請求項４】
請求項１から請求項３のいずれか１つに記載の複数の照明装置がデイジーチェーンにより接続され、前記複数の照明装置の内、調光すべき照明装置の調光を制御するための制御信号を生成して出力する調光制御装置を備えたことを特徴とする照明制御システム。
【発明の詳細な説明】
【技術分野】
【０００１】
本発明の実施形態は、ホールや劇場等に用いられる照明装置及びこの照明装置を用いた照明制御システムに関する。
【背景技術】
【０００２】
従来より、ホールや劇場の屋内施設には、照明制御システムが設置されている。  
この種の照明制御システムは、屋内施設に配置した複数の照明装置と、これら複数の照明装置の内、調光すべき照明装置を任意の明るさの調光状態に操作するための操作部を備え、この操作部による操作に基づき、対応する照明装置の調光を制御する調光制御装置とを有して構成される。
【０００３】
照明装置として用いられる照明負荷には、例えばフラッド型照明装置がある。このフラッド型照明装置は、複数のランプが灯体の前面に配設されている。このようなフラッド型照明装置は、高出力及び省エネルギの点で、ＬＥＤを光源とするＬＥＤフラッドライトが有効であり実用化されている（例えば、非特許文献１参照）。
【０００４】
しかしながら、従来のフラッド型照明装置では、ランプ又はＬＥＤを光源とするＬＥＤユニットが灯体前面に固定されているため、故障時にランプ又はＬＥＤユニットを取り外すことができないので、修理のために照明装置自体を運搬しなければならず、特に大型の照明装置では大きな労力が必要であった。
【０００５】
また、従来のＬＥＤフラッドライトは、高出力及び省エネルギの点で有効であるが、調光状態の制御により単に明るさを変えるのみであるため、より効果的な演出を行うのに必要な色温度を変えたりすることができず、勿論、ＬＥＤユニットを所望する配置形態に形成することもできないといった問題点がある。
【先行技術文献】
【非特許文献】
【０００６】
【非特許文献１】東芝ライテック株式会社著「ART LIGHTING PRODUCTS VOL.8 E-CORE  LEDフラッドライト10000 シリーズ（AL-LED-FD-10 ）」
【発明の概要】
【発明が解決しようとする課題】
【０００７】
本発明の実施形態は、複数のフラット型ＬＥＤユニットを灯体の前面に着脱可能に配設することができ、故障時の修理を容易にし、かつ演出効果を高めることができる照明装置及びこの照明装置を用いた照明制御システムを提供することを目的とする。
【課題を解決するための手段】
【０００８】
本発明の実施形態に係る照明装置は、発光素子を用いた光源と、この光源を点灯する点灯回路とを有し、前記光源からの光の色温度が予め設定された複数のフラット型ランプユニットと；前記複数のフラット型ランプユニットが前面に着脱自在に配設された灯体と；を具備している。
【発明の効果】
【０００９】
本発明の実施形態によれば、複数のフラット型ＬＥＤユニットを灯体の前面に着脱可能に配設することができ、故障時の修理を容易にし、かつ演出効果を高めることができる。
【図面の簡単な説明】
【００１０】
【図１】本発明の一実施の形態に係る照明装置の外観構成を示す斜視図。
【図２】図１の照明装置に取り付けられるフラット型ランプユニットの外観構成を示す斜視図。
【図３】図２のフラット型ランプユニットの構成を示す構成図。
【図４】図２のフラット型ランプユニットを灯体の前面に着脱自在に取り付けるための取付構造の構成図。
【図５】照明装置におけるフラット型ランプユニットの基本配置構成例を示す平面図。
【図６】第１変形例のフラット型ランプユニットの配置構成例を示す平面図。
【図７】第２変形例のフラット型ランプユニットの配置構成例を示す平面図。
【図８】第３変形例のフラット型ランプユニットの配置構成例を示す平面図。
【図９】第４変形例のフラット型ランプユニットの配置構成例を示す平面図。
【図１０】第５変形例のフラット型ランプユニットの配置構成例を示す平面図。
【図１１】第６変形例のフラット型ランプユニットの配置構成例を示す平面図。
【図１２】第７変形例のフラット型ランプユニットの配置構成例を示す平面図。
【図１３】第８変形例のフラット型ランプユニットの配置構成例を示す平面図。
【図１４】第９変形例のフラット型ランプユニットの配置構成例を示す平面図。
【図１５】本実施形態の照明装置を用いた照明制御システムの構成を示すブロック図。
【発明を実施するための最良の形態】
【００１１】
本実施形態において、特に限定しない限り、用語の定義及び技術的意味は次による。
【００１２】
発光素子は、ＬＥＤを用いたものであるが、これに限定されるものではなく、例えば、有機ＥＬ等の発光体であっても良い。
【００１３】
光の色温度の設定が異なる少なくとも２種類のフラット型ランプユニットとは、例えば、２８００（Ｋ）〜５０００（Ｋ）の色温度範囲内において、色温度の設定が異なる２種類のフラット型ランプユニットを示している。  
具体的には、２種類のフラット型ランプユニットは、２８００（Ｋ）の色温度の特性を有する電球色タイプと、５０００（Ｋ）の色温度の特性を有する昼白色タイプとがあるが、これに限定されるものではない。
【００１４】
また、本実施形態の照明装置は、フラット型ランプユニットの背面側に、取り付け方向に突出する口金部と電極部とを設け、灯体の前面の各フラット型ランプユニットが配設される部分に、フラット型ランプユニットの口金部を嵌入して固定する嵌合穴と、電極部を嵌入して該電極部と電気的に接続するための導電部を有する電極受け溝とを設けて構成される。
【００１５】
この構成により、所望する色温度のフラット型ランプユニットを、灯体の前面に着脱可能に配設することができる。また、各フラット型ランプユニットを灯体の前面に固定することができると同時に、光源の調光を制御するのに必要な、灯体側に対する電気的な接続を行うことができる。
【００１６】
勿論、灯体の前面に対するフラット型ランプユニットの取付構造は、このような取付構造に限定されるものではなく、これ以外の取付構造で構成しても良い。
【００１７】
また、複数の照明装置は、デイジーチェーンにより接続される。つまり、この調光制御装置は、制御信号を有線で伝送する有線伝送式のコントローラで構成するが、例えば、制御信号を無線で伝送する無線伝送式のコントーラで構成してもよい。
【００１８】
また、調光制御装置は、前記複数の照明装置の内、調光すべき照明装置の調光を制御するための制御信号を生成して出力する。この制御信号の伝送は、例えば、ＤＭＸ５１２（１９９０）（米国劇場技術協会（ＵＳＩＴＴ）規格）の規格に沿った形式で行うが、これに限定されるものではない。
【００１９】
（一実施の形態）
以下、図面を参照して本発明の実施の形態について詳細に説明する。
【００２０】
図１は、本実施の形態に係る照明装置の外観構成を示す斜視図である。  
図１に示す照明装置１は、ホールや劇場等の屋内施設に設置されるフラッド型照明装置であり、灯体２と、複数のフラット型ランプユニット３とを有している。
【００２１】
灯体２は、例えば筐体であり、床置き型タイプとして構成される。なお、灯体２の側面部に、例えば天井面に固定される椀部２Ｂを固定することにより、吊し型タイプとして構成しても良い。
【００２２】
フラット型ランプユニット３は、図示はしないが発光素子を用いた光源と、この光源を点灯するための点灯装置を有し、発光素子としてはＬＥＤが用いられている。  
また、フラット型ランプユニット３には、この光源からの光の色温度の設定が異なる少なくとも２種類のタイプのものがある。具体的には、フラット型ランプユニット３は、光源からの光が２８００（Ｋ）の色温度の特性を有する電球色タイプと、光源からの光が５０００（Ｋ）の色温度の特性を有する昼白色タイプとの２種類である。
【００２３】
なお、フラット型ランプユニット３は、このような２種類のタイプに限定されるものではなく、例えば、２８００（Ｋ）〜５０００（Ｋ）の色温度範囲内において、色温度の設定が異なる複数種のタイプのものであっても良い。
【００２４】
本実施形態の照明装置１は、複数のフラット型ランプユニット３が灯体２の前面２Ａに着脱可能に配設される。  
フラット型ランプユニット３の具体的な構成及び灯体２への取付構造について図２〜図４を用いて説明する。  
図２は、図１の照明装置に取り付けられるフラット型ランプユニットの外観構成を示す斜視図、図３（ａ）は、図２のフラット型ランプユニットの側面図、図３（ｂ）は、図２のフラット型ランプユニットの上面図、図４（ａ）は、図２のフラット型ランプユニットを灯体の前面に着脱可能に取り付けるための取付部材の側面図、図４（ｂ）は図４（ａ）の取付部材の上面図である。
【００２５】
図２、図３（ａ）及び図３（ｂ）に示すように、フラット型ランプユニット３は、本体４と、グローブ５と、口金部６と、電極部７とを有する。
【００２６】
本体４には、グローブ５が取り付けられ、このグローブ５内には、図示はしないが光源が設けられている。そして、グローブ５は、内部の光源からの光を所定のビーム角で外部へと照射する。
【００２７】
口金部６は、本体４の背面側に設けられている。この口金部６は、略円柱形状に形成され、本体４の取付方向に突出している。
【００２８】
また、本体４の背面側の口金部６の周囲には、２つの電極部７が対向して設けられている。これらの電極部７は、前記口金部６と同様に、本体４の取付方向に突出するように設けられている。これら電極部７は、後述する灯体２側の導電部１４と電気的に接触することにより、本体４内の光源に電力及び制御信号を供給する。
【００２９】
一方、灯体２の前面２Ａには、図４（ａ）及び図４（ｂ）に示すように、上記構成のフラット型ランプユニット３を着脱可能に配設するための取付部材８が複数設けられている。これらの取付部材８は、配設するフラット型ランプユニット３の数及び配設位置に合わせて灯体２の前面２Ａ上に設けられている。
【００３０】
取付部材８は、図４（ｂ）に示すように、フラット型ランプユニット３の口金部６を嵌入して固定する嵌合穴１１と、前記電極部７を嵌入して該電極部７と電気的に接続するための導電部１４を有する電極受け溝１２と、を設けて構成される。
【００３１】
また、取付部材８の面上には、４つの取付用穴１０が設けられている。取付部材８は、これら４つの取付用穴１０を介して夫々ネジで螺合することにより、灯体２の前面２Ａ上に固定される。
【００３２】
また、図４（ａ）に示すように、取付部材８の背面側、つまり、灯体２の前面２Ａへの取付方向側には、灯体２内部の電気回路と電気的に接続するためのコネクト部１３が、前記電極受け溝１２に位置に合わせて設けられている。このコネクト部１３の内部には、前記導電部１４と電気的に接続される導電部１３ａが設けられている。
【００３３】
そして、このコネクト部１３に、灯体２内部の電気回路と接続される接続コード１５のコネクタ（図示せず）が接続されることにより、灯体２内部の電気回路は、導電部１３ａを介して電極受け溝１２の導電部１４に電気的に接続される。
【００３４】
すなわち、フラット型ランプユニット３を取付部材８に取り付けた場合には、該フラット型ランプユニット３の電極部７は、導電部１４に接触することにより灯体２内部の電気回路と通電する。これにより、灯体２内部の電気回路から電力及び制御信号は、接続コード１５、導電部１３ａ、導電部１４、電極部７を介して、フラット型ランプユニット３内の図示しない点灯回路に供給される。
【００３５】
次に、フラット型ランプユニット３の灯体２の前面２Ａへの取付方法を説明する。
【００３６】
このような構成のフラット型ランプユニット３を、灯体２の前面２Ａに取り付けられた取付部材８に固定する場合、ユーザは、フラット型ランプユニット３の口金部６を、取付部材８の嵌合穴１１に嵌入すると同時に、２つの電極部７を電極受け溝１２の嵌入穴１２ａに嵌入する。
【００３７】
そして、ユーザは、手でフラット型ランプユニット３を時計回り方向に回転させる。すると、嵌合穴１１の内周面側に形成された係止爪１１ａ（図４（ｂ）参照）が口金部６に形成される係止溝６ａ（図３（ａ）参照）に嵌入された状態でこの係止溝６ａの形状に沿ってガイドされながら係止溝６ａの端部の所定位置で係止される。
【００３８】
同時に、フラット型ランプユニット３の２つの電極部７は、回転により、電極受け溝１２の嵌入穴１２から連設される長穴１２ｂへとガイドされながらこの長穴１２ｂの端部で係止される。この場合、長穴１２ｂの内側には前記導電部１４が配設されており、この導電部１４による付勢力により、電極部７は強固に係止される。
【００３９】
したがって、このような取付方法により、フラット型ランプユニット３を取付部材８を介して灯体２の前面２Ａに簡単に取り付けて固定することができる。  
また、フラット型ランプユニット３を灯体２の前面から取り外す場合には、上述した逆の手順で取り外せば良い。すなわち、フラット型ランプユニット３が故障した場合には、照明装置１自体を修理に出さ無くても、該当するフラット型ランプユニット３を取り外すのみで、容易に修理を行うことができる。
【００４０】
本実施形態の照明装置１において、上述したようにフラット型ランプユニット３は、光源からの光が２８００（Ｋ）の色温度の特性を有する電球色タイプと、光源からの光が５０００（Ｋ）の色温度の特性を有する昼白色タイプとの２種類があるが、ユーザの所望する使用形態に応じて自由に組み合わせて灯体２の前面２Ａに配置することができる。
【００４１】
このような本実施形態の照明装置１におけるフラット型ランプユニット３の配置例を図５〜図１４を用いて説明する。
【００４２】
まず、照明装置１におけるフラット型ランプユニット３の基本的な配置構成を説明する。図５に示すように、灯体２の前面２Ａは、例えば縦横方向に共に５個ずつ、２５個のフラット型ランプユニット３を配置可能に、取付部材８を配設する。
【００４３】
図５に示す照明装置１は、２５個全てのフラット型ランプユニット３が、昼白色タイプである。昼白色タイプのフラット型ランプユニット３Ａを用いることにより、実際の点灯時には、昼間のシーン、オフィスのシーン、あるいはキレのあるシャープな光が必要な場合に有効な光を照射することができる。
【００４４】
一方、電球色タイプのフラット型ランプユニット３Ｂを２５個、灯体２の前面２Ａに取り付けても良い。電球色タイプのフラット型ランプユニット３Ｂを用いることにより、実際の点灯時には、夕焼けのシーン、ぼんやり温かい雰囲気を出したい光が必要な場合に有効な光を照射することができる。
【００４５】
また、本実施形態では、図６の第１変形例に示すように、灯体２の前面２Ａ上に、昼白色タイプのフラット型ランプユニット３Ａと、電球色タイプのフラット型ランプユニット３Ｂを交互に配置して構成しても良い。このような照明装置１は、被写体に光を照射する被写体当て用照明として用いるのに有効である。
【００４６】
また、図７の第２変形例に示すように、灯体２の前面２Ａ上に、昼白色タイプのフラット型ランプユニット３Ａと、電球色タイプのフラット型ランプユニット３Ｂとをそれぞれ横一列に配置すると同時に、種類が列毎に代わるように交互に配置して構成しても良い。このような照明装置１は、被写体に光を照射する被写体当て用照明として用いるのに有効である。
【００４７】
また、図８の第３変形例に示すように、灯体２の前面２Ａ上に、昼白色タイプのフラット型ランプユニット３Ａと、電球色タイプのフラット型ランプユニット３Ｂとをそれぞれ縦一列に配置すると同時に、種類が列毎に代わるように交互に配置して構成しても良い。このような照明装置１は、被写体に光を照射する被写体当て用照明として用いるのに有効である。
【００４８】
本実施形態の照明装置１は、上記の如く、被写体に光りを照射するフラッド型照明装置として構成した場合について説明したが、これに限定されるものではなく、例えば、舞台等の演出効果をより高めるために、異なる色温度の光を照射することで文字や記号等を表示可能な舞台用のセットとして前記照明装置１を構成することができる。
【００４９】
このような構成の変形例を図９から図１４を用いて説明する。  
本実施例の照明装置１は、図９の第４変形例に示すように、灯体２の前面２Ａ上において、電球色タイプのフラット型ランプユニット３Ｂを×模様となるように配置すると同時に、それ以外の位置に昼白色タイプのフラット型ランプユニット３Ａを配置して構成しても良い。勿論、電球色タイプと白色タイプとを入れ替えて配置しても良い。このような照明装置１は、点灯時には灯体２の前面２Ａ上に×模様が表示されるので舞台セット用照明として用いるのに有効である。
【００５０】
また、図１０の第５変形例に示すように、灯体２の前面２Ａ上において、電球色タイプのフラット型ランプユニット３Ｂを、アルファベットの“Ａ”文字となるように配置すると同時に、それ以外の位置に昼白色タイプのフラット型ランプユニット３Ａを配置して構成しても良い。勿論、電球色タイプと白色タイプとを入れ替えて配置しても良い。このような照明装置１は、点灯時には灯体２の前面２Ａ上にアルファベットの“Ａ”文字が表示されるので舞台セット用照明として用いるのに有効である。
【００５１】
なお、前記変形例と同様、図１１の第６変形例に示すように、アルファベットの“Ｂ”文字となるように配置して構成したり、あるいは図１２の第７変形例に示すように、アルファベットの“Ｃ”文字となるように配置して構成しても良い。
【００５２】
勿論、これら変形例のアルファベッドの文字限らず、それ以外の文字や記号を表示するように、電球色タイプ又は白色タイプのフラット型ランプユニット３Ａ、３Ｂを配置して構成しても良い。
【００５３】
また、本実施形態では、図１３の第８変形例に示すように、４個の照明装置１を組み付けて照明装置１Ａを構成して、１つの照明装置１よりも多くのフラット型ランプユニットを設けて、表示範囲が４つの灯体前面２Ａ１〜２Ａ４で形成されるように表示範囲を拡大すれば、電球色タイプと昼白色タイプとのフラット型ランプユニット３Ａ、３Ｂを適宜配置することにより、漢字などの文字も表示することができる。また、図１４の第９変形例に示すように、照明装置１Ａは、グラフ表示やイコライザー表示、あるいは図柄等の表示も行うことができる。
【００５４】
次に、このような照明装置１を用いた照明制御システムの構成について図１５を用いて説明する。図１５は、本実施形態の照明装置を用いた照明制御システムの構成を示すブロック図である。
【００５５】
図１５に示す照明制御システム１００は、ホールや劇場等の屋内施設に設置されるもので、調光制御装置２０と、制御信号線３０と、複数の照明装置１とを有して構成される。
【００５６】
複数の照明装置１は、制御信号線３０を用いたデイジーチェーン（daisy chain）形式により、調光制御盤である調光制御装置２０に接続される。なお、制御信号線３０は、図においては１本で示してあるが、複数の信号線から構成される。
【００５７】
調光制御装置２０は、図示はしないが操作部を有し、この操作部は、照明装置１の調光を制御するための制御信号を生成して、この生成した制御信号を、複数の照明装置１の内、調光すべき照明装置１に出力する。
【００５８】
このように照明制御システム１００は、複数の照明装置１及び複数のフラット型ランプユニット３（３Ａ、３Ｂ）にそれぞれアドレスを割り付け、この割り付けたアドレスを用いて調光制御装置２０により所望の照明装置１及びフラット型ランプユニット３（３Ａ、３Ｂ）の調光を制御することにより、単にフラッド型照明装置としての照明だけでなく、図６〜図１４の各変形例のように文字や図柄表示などの舞台セット用照明としての照明を行うことができる。
【００５９】
また、調光制御装置２０内に、舞台等に流れる音響信号をイコライザー表示にするように周波数分解して調光信号に変換する処理部を設け、この変換されて調光信号を、例えば図１４に示す照明装置１Ａに出力することにより、音響信号に同期したイコライザー表示も行うことができ、使用用途を拡大することができる。
【００６０】
従って本実施形態によれば、複数のフラット型ＬＥＤユニットを灯体の前面に着脱可能に配設することができ、故障時の修理を容易にし、かつ演出効果を高めることができる照明装置及びこの照明装置を用いた照明制御システムの実現が可能である。
【００６１】
なお、本実施形態では、電球色タイプと昼白色タイプとの２種類のフラット型ランプユニットを適宜灯体２の前面２Ａに配置して構成したが、これに限定されるものではなく、色温度の異なる複数種のフラット型ランプユニット３を設け、適宜任意に配置して構成しても良い。
【００６２】
本発明は、上述した実施形態及び変形例に限定されるものではなく、本発明の要旨を変えない範囲において、種々の変更、改変、実施形態及び変形例間の置換、組合せ等が可能である。
【符号の説明】
【００６３】
１…照明装置、
２…灯体、
２Ａ…前面、
２Ｂ…椀部、
３…フラット型ランプユニット、
３Ａ…電球色タイプのフラット型ランプユニット、
３Ｂ…昼白色タイプのフラット型ランプユニット、
４…本体、
５…グローブ、
６…口金部、
７…電極部、
８…取付部材、
１１…嵌合穴、
１３…コネクト部、
１４…導電部、
１５…接続コード、
２０…調光制御装置、
３０…制御信号線、
１００…照明制御システム。
【図１】
2012204174.tif 000003
【図２】
2012204174.tif 000004
【図３】
2012204174.tif 000005
【図４】
2012204174.tif 000006
【図５】
2012204174.tif 000007
【図６】
2012204174.tif 000008
【図７】
2012204174.tif 000009
【図８】
2012204174.tif 000010
【図９】
2012204174.tif 000011
【図１０】
2012204174.tif 000012
【図１１】
2012204174.tif 000013
【図１２】
2012204174.tif 000014
【図１３】
2012204174.tif 000015
【図１４】
2012204174.tif 000016
【図１５】
2012204174.tif 000017